(57)【要約】【課題】  商品の使用状況に関する詳細な情報を取得する。【解決手段】  商品モニタリング装置１は、内容物を有する容器Ａの状態に関する値を一定の時間間隔毎に継続的に測定する重量センサ３１等と、重量センサ３１等を制御する制御部３２と、重量センサ３１等と制御部３２を収納する、蓋部１０と基台部６０からなる中空状の本体部と、蓋部１０の上面に設けられた、容器Ａを載置する支持部１１とを備える。【選択図】    図１
2020056651.tif 000002
【特許請求の範囲】
【請求項１】
内容物を有する容器の状態に関する値を一定の時間間隔毎に継続的に測定するセンサと、
前記センサを制御する制御部と、
前記センサと前記制御部を収納する、蓋部と基台部からなる中空状の本体部と、
前記蓋部の上面に設けられた、前記容器を載置する支持部と、
を備えることを特徴とする商品モニタリング装置。
【請求項２】
前記支持部は、
前記蓋部の上面に当たる天面部から上方に延出する周壁部と、
前記周壁部の内壁と前記天面部により形成される開口部と、
を備えることを特徴とする請求項１に記載の商品モニタリング装置。
【請求項３】
前記センサにより測定された前記容器の状態に関する値、測定された時刻、および前記容器が当該状態にあった時間を記憶する測定値記憶部を備えることを特徴とする請求項１または２に記載の商品モニタリング装置。
【請求項４】
外部機器から商品モニタリング装置の設定のための情報を受信すると共に、前記センサにより測定された前記容器の状態に関する値を外部機器に送信する送受信部を備えること特徴とする請求項１、２または３に記載の商品モニタリング装置。
【請求項５】
前記センサにより測定された前記容器の状態に関する値、測定された時刻、および前記容器が当該状態にあった時間を記憶する着脱自在な記憶装置を備えること特徴とする請求項１、２、３または４に記載の商品モニタリング装置。
【請求項６】
前記センサは、重量センサであることを特徴とする請求項１、２、３、４または５に記載の商品モニタリング装置。
【請求項７】
前記蓋部の前記天面部に設けられた孔と、
前記重量センサの上方に設けられる重量センサ用治具と、
前記孔から挿通され、前記重量センサ用治具を介して前記蓋部と前記重量センサを固定する重量センサ固定部を備えることを特徴とする請求項６に記載の商品モニタリング装置。
【発明の詳細な説明】
【技術分野】
【０００１】
本発明は、商品の使用状態をモニタリングする商品モニタリング装置に関する。
【背景技術】
【０００２】
消費者が購入した商品を実生活においてどう使用しているのかという情報は、商品、特に食料品等の消費財を製造する企業や者にとって貴重な情報である。
【０００３】
そこで、従来では、商品の販売前に所謂モニターとして選択した消費者に実際に商品を使用してもらい、商品の使い勝手等を含む改善すべき事項をヒアリングすること、あるいは商品を購入した消費者に対してヒアリングやアンケートを実施することによる聞き取り調査を行っていた（例えば、特許文献１）。
【先行技術文献】
【特許文献】
【０００４】
【特許文献１】特開２００４−１７８２１３号公報
【発明の概要】
【発明が解決しようとする課題】
【０００５】
しかしながら、このような調査は、消費者からの聞き取り調査であり、商品そのものが、いつ、どんな状況で、どれ位の長さの時間、どのように使用されたのか等の詳細な情報を取得することができなかった。また、ヒアリング等の聞き取り調査は、質問される側（消費者）の主観にも左右されるため、質問する側（商品を製造する者）にとって有益かつ客観的な情報を十分に取得できないこともあった。さらに、商品に簡単に取り付けられ、かつ商品が実際に使用されている際の状態について計測することができる装置は存在しなかった。
【０００６】
そこで、本発明は、上記課題を解決すること、すなわち、商品の使用状態に関する詳細な情報を取得することができる商品モニタリング装置を提供することを目的とする。
【課題を解決するための手段】
【０００７】
本発明の１つの観点は、内容物を有する容器の状態に関する値を一定の時間間隔毎に継続的に測定するセンサと、センサを制御する制御部と、センサと制御部を収納する、蓋部と基台部からなる中空状の本体部と、蓋部の上面に設けられた、容器を載置する支持部とを備える、ことを特徴とする。
【０００８】
また、支持部は、蓋部の上面に当たる天面部から上方に延出する周壁部と、周壁部の内壁と天面部により形成される開口部とを備える、ことが好ましい。
【０００９】
また、センサにより測定された容器の状態に関する値、測定された時刻、および容器が当該状態にあった時間を記憶する測定値記憶部を備える、ことが好ましい。
【００１０】
また、外部機器から商品モニタリング装置の設定のための情報を受信すると共に、センサにより測定された容器の状態に関する値を外部機器に送信する送受信部を備える、ことが好ましい。
【００１１】
また、センサにより測定された容器の状態に関する値、測定された時刻、および容器が当該状態にあった時間を記憶する着脱自在な記憶装置を備える、ことが好ましい。
【００１２】
また、センサは、重量センサである、ことが好ましい。
【００１３】
また、蓋部の天面部に設けられた孔と、重量センサの上方に設けられる重量センサ用治具と、孔から挿通され、重量センサ用治具を介して蓋部と重量センサを固定する重量センサ固定部を備える、ことが好ましい。
【発明の効果】
【００１４】
本発明によれば、センサが容器の状態に関する値を所定の期間内に一定の時間間隔毎に継続的に計測することができるので、容器の使用状態を長期かつ詳細にモニタリングすることができる。
【００１５】
また、本発明によれば、容器を支持することにより容器と一体で使用することができるので、容器を使用していないときであっても、商品モニタリング装置を容器から外すことなく、テーブル等の面に置いておくことができる。また、容器が使用されていない状態をモニタリングすることができる。
【００１６】
また、本発明によれば、センサが計測した容器の状態について、計測した時間と値の双方を記憶することができるので、何時、どれくらいの時間にわたり、どのように容器が使用されたのかについて詳細にモニタリングすることができる。
【００１７】
また、本発明によれば、外部機器との双方向通信をすることができるので、計測者は、何ら滞りなくスムーズに商品モニタリング装置の初期設定、および商品モニタリング装置から情報を取得することができる。
【００１８】
また、本発明によれば、センサが計測した時刻および容器の状態に関する値が値着脱可能な記憶装置されるので、計測者は、モニタリングが完了した後に一括してこれらの情報を取得することができる。
【００１９】
また、本発明によれば、重量センサを備えるので、計測者は、容器の重量の変化に関する値を取得することができる。
【００２０】
また、本発明によれば、重量センサ固定部が重量センサ用治具を介して蓋部と重量センサを固定するので、測定者は、容器の重量について、誤差なく、信頼に足りる正確な値を取得することができる。
【図面の簡単な説明】
【００２１】
【図１】本発明に係る商品モニタリング装置の使用状態を示す図である。
【図２】商品モニタリング装置と外部機器が通信する状態を示す図である。
【図３】商品モニタリング装置の分解図である。
【図４】商品モニタリング装置の組み立て状態を示す図である。
【図５】商品モニタリング装置に係る蓋部を示す図である。
【図６】（ａ）は、商品モニタリング装置に係る治具の表面を示す図である。（ｂ）は、商品モニタリング装置に係る治具の裏面を示す図である。（ｃ）は、商品モニタリング装置に係る治具の裏面の斜視図である。
【図７】商品モニタリング装置の基板上に設けられた重量センサを示す図である。
【図８】商品モニタリング装置の制御系のブロック構成図である。
【図９】（ａ）は、商品モニタリング装置に係る基板ベースの表面を示す図である。（ｂ）は、商品モニタリング装置に係る基板ベースの表面の斜視し図である。
【図１０】第１の実施の形態に係り、商品モニタリング装置の動作を示すフローチャートである。
【図１１】モニタリングの対象となる容器の状態に関する値等に関する情報が記憶された状態を示す表である。
【図１２】モニタリングの対象となる容器の状態に関する値が外部機器に表示されるグラフである。
【図１３】第２の実施の形態に係り、商品モニタリング装置の動作を示すフローチャートである。
【図１４】商品モニタリング装置の変形例を示す図である。
【発明を実施するための形態】
【００２２】
以下、この発明に係る商品モニタリング装置の実施の形態について、図を参照しながら説明する。
【００２３】
（商品モニタリング装置の構成に関する説明）
この商品モニタリング装置１は、図１および図２に示すように、容器Ａが載置される蓋部１０および基台部６０をその外装とする。また、商品モニタリング装置１は、合成樹脂製で、容器Ａの底から嵌め込むことにより容器Ａから外れることなく容器Ａと一体で使用される。これにより、使用者は、日常生活において、テーブル等の什器等の面Ｃの上に置くこと等に何ら支障なく容器Ａを使用することができる。
【００２４】
本実施の形態においては、容器Ａは、ガラス製の瓶であって、液体調味料を内容物とする。ただし、これは一例であり、容器の材質および内容物は、他のものであってもよい。
【００２５】
図２に示すように、商品モニタリング装置１は、外部機器Ｂとの通信により、動作に関する設定が行われる。また、商品モニタリング装置１は、外部機器Ｂとの通信により、外部機器Ｂに測定結果等の情報を送信することができる。商品モニタリング装置１の動作に関する設定に関する情報は、例えば容器Ａが載置された状態の重量（初期重量）、容器Ａが使用者に持ち上げられた状態における重量、センサが計測する時間の間隔、容器Ａの状態をモニタリングする期間等に関する情報が該当する。
【００２６】
本実施の形態において、外部機器Ｂは、パーソナルコンピュータだが、通信および情報の処理が可能な機器であれば、例えばスマートフォン等の他の機器であってもよい。また、商品モニタリング装置１と外部機器Ｂとの間での近距離無線通信のＺｉｇｂｅｅ(登録商標)による通信により行われる。なお、通信の規格は、商品モニタリング装置１の動作に関する設定が可能なものであれば他の無線通信規格でもよい。また、無線通信に代えて有線通信であってもよい。
【００２７】
図３および図４に示すように、商品モニタリング装置１は、容器Ａが載置される蓋部１０、重量センサ３１を蓋部１０に固定する重量センサ用治具２０、重量センサ３１、傾斜センサ３３、湿温度センサ３４ならびに制御部３２等が設けられた基板３０、センサが測定した値が記憶される着脱自在なメモリーカード４０、基板３０の下方に配置される基板ベース５０および基台部６０から主に構成される。
【００２８】
蓋部１０には、容器Ａを支持する支持部１１、上板からなる天面部１３、天面部１３の周縁から下方（基台部６０の方向）に向かって延出する円筒状の胴部１５が設けられている。胴部１５は、後述する基台部６０の基台胴部６２を覆うように被せることにより、蓋部１０を基台部６０に固定する。
【００２９】
支持部１１は、蓋部１０の天面部１３の上側（容器Ａが載置される面側）に設けられ、天面部１３から上方に向かって延出する円筒状の周壁部１２と、周壁部１２の内側と天面部１３に囲まれた領域であって、容器Ａが挿入される開口部１４とから構成される。
【００３０】
また、支持部１１の内側（周壁部１２に囲まれた側）の天面部１３には、ネジ溝が設けられた天面孔１６ａ，１６ｂ，１６ｃおよび１６ｄが設けられている。これらの孔は、蓋部１０、重量センサ用治具２０および重量センサ３１を固定する重量センサ固定部１７を構成する固定ネジ１７ａ，１７ｂ，１７ｃおよび１７ｄを挿設するためのものである。
【００３１】
なお、本実施の形態では、周壁部１２および胴部１５を円筒状としたが、容器Ａを支持すること、および基台部６０に被せることできるものであれば、他の形状であってもよい。
【００３２】
重量センサ用治具２０は、重量センサ３１の上側に設けられるものであり、重量センサ固定部１７たる固定ネジ１７ａ，１７ｂ，１７ｃおよび１７ｄが挿通される、ネジ溝が設けられた固定用孔２１ａ，２１ｂ，２１ｃおよび２１ｄが上下面を貫通するように設けられている。また、図示しないネジ等の固定部材により重量センサ用治具２０を蓋部１０に固定するための蓋部用固定孔２２ａ，２２ｂ，２２ｃおよび２２ｄが設けられている。
【００３３】
重量センサ用治具２０の下面（裏面）には、重量センサ３１を構成する重量センサベース体３１ａおよび３１ｂの一端が嵌め込まれる固定凹部２３ａおよび２４ａと、固定凹部２３ａおよび２４ａよりもやや浅く窪まされた固定段部２３ｂおよび２４ｂが設けられている。これらにより、重量センサ用治具２０を重量センサ３１にしっかりと固定することができるので、容器Ｂの重量を正確に計測することができる。
【００３４】
基板３０には、重量センサ３１等からなる複数のセンサ、および図８に示す制御部等が設けられている。なお、重量センサ３１以外の機器等については図示を省略している。
【００３５】
重量センサ３１は、容器Ａの重量を計測するためのものであり、重量センサベース体３１ａおよび３１ｂからなる。重量センサベース体３１ａには、ネジ溝が設けられたベース体孔３１ａ１，３１ａ２，３１ａ３および３１ｄ４が設けられている。また、重量センサベース体３１ｂにも、ネジ溝が設けられたベース体孔３１ｂ１，３１ｂ２，３１ｂ３および３１ｂ４が設けられている。
【００３６】
ベース体孔３１ａ１，３１ａ２，３１ｂ１および３１ｂ２には、天面孔１６ａ，１６ｂ，１６ｃならびに１６ｄ、および重量センサ用治具２０の固定用孔２１ａ，２１ｂ，２１ｃならびに２１ｄを介して、固定ネジ１７ａ，１７ｂ，１７ｃおよび１７ｄが挿通される。また、ベース体孔３１ａ３，３１ａ４，３１ｂ３および３１ｂ４には、後述する基板ベース５０に設けられた重量センサ用孔５１ａ，５１ｂ，５１ｃならびに５１ｄ、および基板３０に設けられた孔（図示省略）を介して、重量センサ固定ネジ５２ａ，５２ｂ，５２ｃおよび５２ｄが挿通される。
【００３７】
図８に示すように、基板３０は、上述した重量センサ３１と共に、中央演算手段（以下、ＣＰＵ３２ａという。）、２つの記憶手段（以下、ＲＯＭ３２ｂ、ＲＡＭ３２ｃという。）ならびに容器Ａの状態に関する値等を一時的に記憶する測定値記憶部（以下、ＳＲＡＭ３２ｄという。）を有する制御部３２、傾斜センサ３３、湿温度センサ３４、重量センサ３１ならびに傾斜センサ３３からの信号を増幅する増幅部３５、時刻を計測する時刻計測部（以下、ＲＴＣ３６という。）、外部機器Ｂと通信する送受信部３７、メモリーカード４０への情報の読み書きを制御するメモリーカード制御部３８、メモリーカード４０を装着するためのメモリーカードスロット３９、各センサにより測定された容器Ａの状態に関する値等が記憶される着脱可能なメモリーカード４０およびこれらに電力を供給する電源（図示せず）が夫々接続されている。なお、本実施の形態では、電源としてコイン形リチウム電池が用いられているが、電力を供給できるものであれば、他の電池や異なる電力供給源であってもよい。
【００３８】
制御部３２のＣＰＵ３２ａは、商品モニタリング装置１に電源が投入されると起動し、ＲＯＭ３２ｂに記憶されたプログラムを読み出して実行することにより、商品モニタリング装置１全体の制御を行うものである。
【００３９】
ＲＯＭ３２ｂは、商品モニタリング装置１の制御に必要なプログラムが記憶されている。また、ＲＡＭ３２ｃは、ＣＰＵ３２ａが動作するために必要なワークエリアを有し、各種設定データを記憶する書換え可能なメモリー（記憶領域）である。
【００４０】
また、ＳＲＡＭ３２ｄ（測定値記憶部）は、各センサに計測された容器Ａの状態に関する値、各センサにより計測された時刻、および当該状態にあった時間をメモリーカード４０に記憶する前に一時的に記憶する書換え可能なメモリー（記憶領域）である。
【００４１】
傾斜センサ３３は、容器Ａの傾きを計測するためのセンサである。また、湿温度センサ３４は、容器Ａが使用されている状態における環境の湿度および／または温度を計測するためのセンサである。
【００４２】
増幅部３５は、重量センサ３１および傾斜センサ３３が接続され、これらのセンサにより計測された値を増幅して制御部３２に送信する。
【００４３】
ＲＴＣ３６は、時刻を計測するためのものである。また、ＲＴＣ３６に計測された時刻は、各センサが容器Ａの状態に関する値を継続的に計測する一定の時間間隔の基とされる。
【００４４】
送受信部３７は、商品モニタリング装置１の動作に必要な設定情報、例えば容器Ａが載置された状態の重量（初期重量）、容器Ａが使用者に持ち上げられた状態における重量、各センサが計測する時間の間隔、容器Ａの状態をモニタリングする期間等に関する情報、を外部機器Ｂから受信すると共に、各センサにより測定された容器Ａの状態に関する値等を外部機器Ｂに送信する（図２参照）。
【００４５】
メモリーカード制御部３８は、ＳＲＡＭ３２ｄに一時的に記憶された情報を制御部３２から受信し、メモリーカードスロット３９に装着されたメモリーカード４０にアクセスして、それらの情報を書き込む。
【００４６】
メモリーカードスロット３９は、メモリーカードを装着して、メモリーカード４０と電気的に接続されるインターフェース（図示省略）を有する。
【００４７】
メモリーカード４０は、着脱自在な記憶装置であって、ＳＲＡＭ３２ｄに一時的に記憶された情報が蓄積される。また、メモリーカード４０は、メモリーカードスロット３９と電気的に接続されるインターフェース、インターフェースを介して受け取った情報を格納する記憶領域、およびメモリーカード４０内の動作制御に必要な制御部ならびに制御用記憶領域を有する。本実施の形態では、メモリーカードとしてｍｉｃｒｏＳＤ（登録商標）カードが使用されているが、着脱自在なものであれば、他の記憶装置であってもよい。
【００４８】
基板ベース５０は、基板３０の下側（基台部６０の側）に設けられ、重量センサ固定ネジ５２ａ，５２ｂ，５２ｃおよび５２ｄにより、重量センサ用孔５１ａ，５１ｂ，５１ｃならびに５１ｄ、および基板３０の孔（図示省略）を介して、重量センサベース体３１ａおよび３１ｂに固定される。また、基板ベース５０には、基板固定用孔５３ａ，５３ｂ，５３ｃおよび５３ｄが設けられ、基板固定ネジ５４ａ，５４ｂ，５４ｃおよび５４ｄ（図示省略）により基板３０と固定される。さらに、図示しない電池が設けられる空隙として基板ベース開口部５４が設けられている。
【００４９】
基台部６０は、商品モニタリング装置１の底となる基台底部６１、基台底部６１の周縁から上方（蓋部１０の方向）に向かって延出する円筒状の基台胴部６２、および基台胴部６２の内側と基台底部６１に囲まれた領域であって、基板３０等が内蔵される基台開口部６３を有する。
【００５０】
（商品モニタリング装置の主たる作用に関する説明）
次に、商品モニタリング装置１における制御部３２の制御動作について、図１０を基に説明する。図１０のフローチャートは、制御部３２が商品モニタリング装置１を制御する動作に関するものである。
【００５１】
商品モニタリング装置１の動作に先立ち、商品モニタリング装置１に電源が投入される。また、商品モニタリング装置１の動作の設定に必要な情報、例えば容器Ａが載置された状態の重量（初期重量）、容器Ａが使用者に持ち上げられた状態における重量、各センサが計測する時間の間隔、容器Ａの状態をモニタリングする時間等に関する情報、が外部機器Ｂから送信され、商品モニタリング装置１がそれらの情報を受信し、かつ記憶することにより商品モニタリング装置１の動作設定が行われる。最後に、容器Ａが商品モニタリング装置１に支持された状態で、机等の面Ｃの上に置かれる。
【００５２】
本実施の形態において、各センサが計測する時間間隔は、容器Ａおよび商品モニタリング装置１が面Ｃの上に載置された状態のときには１分、５分または１０分のいずれかの時間間隔が設定される。また、容器Ａが持ち上げられて実際に使用されている状態においては、各センサが計測する時間間隔は、０．５秒または１秒のいずれかが設定される。また、容器Ａの状態をモニタリングする期間は、最長９０日間（２１６０時間）である。これらは、モニタリングの目的や容器の内容物に応じた好適な時間間隔により設定される。
【００５３】
図１０のフローチャートは、以上の準備がされた後にスタートする。商品モニタリング装置１は、動作が可能な状態になると、ＲＴＣ３６により時刻の計測が開始される（Ｓ１１）。このときの容器Ａの状態は、面Ｃの上に載置された状態である。その後、予め設定された１分、５分または１０分のいずれかの時間間隔毎に、重量センサ３１および湿温度センサ３４による容器Ａの状態の計測が行われる（Ｓ１２）。次に、これらのセンサにより計測された容器Ａの状態に関する値、すなわち容器Ａの重量および容器Ａが載置された環境の湿度および温度、計測された時刻、および当該状態にあった時間がＳＲＡＭ３２ｄに一時的に記憶される（Ｓ１３）。
【００５４】
容器Ａおよび商品モニタリング装置１が面Ｃに載置された状態、すなわち所定のモニタリング時間が終了せず（Ｓ１４においてＮ）、かつ容器Ａおよび商品モニタリング装置１が面Ｃの上に置かれた状態から変化しないとき、例えば、使用者が容器Ａおよび商品モニタリング装置１が持ち上げられないとき（Ｓ１５においてＮ）には、上述したＳ１１〜１３までの処理が、設定された時間間隔毎に継続的に繰り返される。
【００５５】
一方、容器Ａおよび商品モニタリング装置１が面Ｃの上に置かれた状態から変化したこと、例えば、使用者が容器Ａおよび商品モニタリング装置１が持ち上げられたこと、が傾斜センサ３３により検知されたときには（Ｓ１５においてＹ）、計測モード（計測方法）が変更される（Ｓ１８）。
【００５６】
具体的には、湿温度センサ３４による計測が停止され、重量センサ３１および傾斜センサ３３による計測が行われる。また、計測する時間間隔が、予め設定した１分、５分または１０分のいずれかの時間間隔から、予め設定された０．５秒または１秒のいずれかに変更される。
【００５７】
計測モードが変更されると、予め設定された０．５秒または１秒の時間間隔毎に重量センサ３１および傾斜センサ３３による計測が行われる（Ｓ１７）。また、これらのセンサにより計測された容器Ａの状態に関する値、すなわち容器Ａの重量および傾き、計測された時刻、および当該状態にあった時間がＳＲＡＭ３２ｄに一時的に記憶される（Ｓ１８）。
【００５８】
容器Ａおよび商品モニタリング装置１が使用されている状態においては（Ｓ１９においてＮ）、上述したＳ１７およびＳ１８の処理が、設定された時間間隔毎に継続的に繰り返される。
【００５９】
容器Ａおよび商品モニタリング装置１が面Ｃの上に再び載置されたことが傾斜センサ３３により検知されたときには（Ｓ１９においてＹ）、Ｓ１２の前に戻って（計測モードが元に戻されて）、Ｓ１１からＳ１３の処理が、設定された時間間隔毎に継続的に繰り返される。
【００６０】
以後は、上述したＳ１２からＳ１９の処理が、容器Ａおよび商品モニタリング装置１の状態に応じて変更および繰り返され、予め設定されたモニタリング時間の終了により（Ｓ１４においてＹ）、モニタリングは終了する。
【００６１】
Ｓ１８において、ＳＲＡＭ３２ｄに一時的に記憶されたこれらの情報は、５０組記憶される毎に、制御部３２によりＳＲＡＭ３２ｄからメモリーカード制御部３８を介してメモリーカード４０に記憶される。なお、記憶される情報量を５０組としたのは、好適な例であり、増減させることができる。
【００６２】
また、メモリーカード４０に記憶される情報のデータ形式は、例えば図１１に示すような表であって、外部機器Ｂにより読み取りおよび加工が可能なｔｘｔ形式である。ただし、外部機器Ｂにおけるデータの読み取りまたは加工が可能であれば、当該ｔｘｔ形式に限定されない。
【００６３】
モニタリングの終了後、メモリーカード４０が商品モニタリング装置１から取り出され、外部機器Ｂの所定のスロット（図示省略）等により電気的に接続される。また、外部機器Ｂは、メモリーカード４０に記憶された情報を外部機器Ｂ内の所定の記憶装置に記憶し、かつ所定のソフトウェアで情報を処理することにより、容器Ａの状態に関する所望の情報を表示装置に表示する。
【００６４】
図１２は、所望の情報が加工された一例を示すものであり、容器Ａが使用された状態における湿度ならびに温度、およびＡの重量ならびに傾きが時間の経過に伴いどのように変化したのかについてグラフで示したものである。
【００６５】
（第１の実施の形態の効果に係る説明）
この実施形態にかかる商品モニタリング装置１は、以上のごとき構成および作用からなり、以下、その効果について説明する。
【００６６】
この実施形態にかかる商品モニタリング装置１は、容器を支持することにより、容器Ａと常に一体で使用される。これにより、容器Ａを使用していないときであっても、商品モニタリング装置１を容器Ａから外すことなく、面Ｃの上に置いておくことができる。また、容器Ａが使用されていない状態についてもモニタリングすることができる。
【００６７】
この実施形態にかかる商品モニタリング装置１は、重量センサ３１、傾斜センサ３３および湿温度センサ３４を有する。これにより、容器Ａの状態を複数の観点から詳細に計測することができる。
【００６８】
この実施形態にかかる商品モニタリング装置１は、各センサが容器Ａの状態に関する値を一定の時間間隔毎に継続的に計測する。これにより、容器Ａの使用状態を長期かつ詳細にモニタリングすることができる。
【００６９】
この実施形態にかかる商品モニタリング装置１は、各センサが計測した容器Ａの状態に関する値と共に、計測した時間およびその状態にあった時間も記憶される。これにより、何時、どれくらいの時間にわたり、容器Ａがどのように使用されたのかについて詳細にモニタリングすることができる。
【００７０】
この実施形態にかかる商品モニタリング装置１は、重量センサ固定部１７により、蓋部１０が重量センサ用治具２０を介して重量センサ３１と固定されている。これにより、測定者は、容器Ａの重量の変化について、誤差がない、信頼に足りる正確な値を取得することができる。
【００７１】
この実施形態にかかる商品モニタリング装置１は、送受信部３７により外部機器Ｂと通信をすることができる。これにより、スムーズに商品モニタリング装置１の動作の設定を行うこと、および商品モニタリング装置１から情報を取得することができる。
【００７２】
この実施形態にかかる商品モニタリング装置１は、情報が着脱可能なメモリーカード４０に記憶して蓄積される。これにより、モニタリングが完了した後に一括してこれらの情報を取得することができる。
【００７３】
（第２の実施の形態の説明）
次に、本発明の第２の実施の形態の説明（変形例）について、図１３を基に説明する。なお、第２の実施の形態に係る商品モニタリング装置の構成は、上述した商品モニタリング装置１の構成と同じであるため省略する。
【００７４】
（第２の実施の形態に係る商品モニタリング装置１の主たる作用に関する説明）
図１３は、第２の実施の形態に係り、同装置の主たる動作を示すフローチャートである。なお、本実施の形態における商品モニタリング装置１の準備は、第１の実施の形態において説明したものと同じであるため省略する。
【００７５】
本実施の形態において、各センサが計測する時間間隔は、容器Ａおよび商品モニタリング装置１の状態、面Ｃの上に置かれているか否かに関係なく、１００ミリ秒（１００ｍｓ）である。また、容器Ａの状態をモニタリングする期間は、最長半日間（６時間）である。ただし、これらの時間は、これらに限定されるべきものではなく、任意の時間とすることができる。
【００７６】
図１３のフローチャートは、第１の実施の形態で説明した準備がされた後にスタートする。商品モニタリング装置１が動作可能な状態となると、ＲＴＣ３６により時刻の計測が開始される（Ｓ２１）。このときの容器Ａの状態は、面Ｃの上に載置された状態である。その後、重量センサ３１、傾斜センサ３３および湿温度センサ３４の各センサによる容器Ａの状態が、予め設定された時間間隔毎（１００ミリ秒毎）に計測される（Ｓ２２）。ただし、本実施の形態において湿温度センサ３４による計測対象は、温度のみである。
【００７７】
各センサにより計測された容器Ａの状態に関する値、計測された時刻、および当該状態にあった時間がＲＡＭ３２ｃに一時的に記憶され、外部機器Ｂに順次送信される（Ｓ２３）。なお、これらの情報は、外部機器Ｂの所定の記憶領域に記憶され、第１の実施の形態と同じように、例えば図１１に示したグラフ等により表示される。
【００７８】
以後は、上述したＳ２２および２３の処理が、継続的に繰り返され（Ｓ２４においてＮ）、予め設定されたモニタリング時間の終了により（Ｓ２４においてＹ）、モニタリングは終了する。
【００７９】
（第２の実施の形態の効果に係る説明）
この実施形態にかかる商品モニタリング装置１の効果について説明する。
【００８０】
本実施の形態における商品モニタリング装置１は、各センサにより計測された容器Ａに関する状態の値等が計測とほぼ同時に外部機器Ｂに送信される。また、計測に係る時間間隔は、１００ミリ秒という、とても短い時間間隔で計測が行われる。これらにより、実際の使用状況により近い値を得ることができる。
【００８１】
（その他の変形例）
本発明は上記した実施の形態において、下記に示すような変更等が可能である。
（１）支持部１１の形状は、本実施の形態で示したものに限定されない。例えば、図１４に示す商品モニタリング装置１００のように、容器の本体形状に合わせて楕円環状としたり、周壁部に窪みを設けたりすることができる。
（２）容器の内容物は、本実施の形態のような液体調味料に限定されない。内容物の材質は、粉状、ゲル状またはゾル状であってもよい。また、液体調味料でだけでなく、飲料等の飲食品はもちろん、化粧品、洗剤または芳香剤等の衛生用品であってもよい。
（３）計測に関する時間および時間間隔は、上述した時間に限定されるものではなく、任意の時間とすることができる。
（４）計測に用いるセンサは、重量センサ３１、傾斜センサ３３および湿温度センサ３４に限定されない。モニタリングの目的等に応じて、これらのセンサと共に、あるいはこれらのセンサに代えて、他のセンサ、例えば加速度センサ、角速度センサまたは照度センサを使用することもできる。
（５）第１の実施の形態では、情報をＳＲＡＭ３２ｄに一時的に記憶させた後にメモリーカード４０に記憶させたが、メモリーカード４０に直接記憶させてもよい。また、メモリーカード４０に記憶させることなく、通信により外部機器Ｂに直接記憶させることもできる。
（６）本実施の形態では、容器Ａと商品モニタリング装置１が１組で使用されている場合について説明をしたが、複数組を用いることによりモニタリングを行うこともできる。
【符号の説明】
【００８２】
Ａ  容器
Ｂ  外部機器（情報端末）
Ｃ  面
１，１００  商品モニタリング装置
１０  蓋部
２０  重量センサ用治具
３０  基板
３１  重量センサ
３２  制御部
３２ｄ  ＳＲＡＭ（記憶手段）
３６  ＲＴＣ（時刻計測部）
４０  メモリーカード（着脱自在な記憶装置）
【図１】
2020056651.tif 000003
【図２】
2020056651.tif 000004
【図３】
2020056651.tif 000005
【図４】
2020056651.tif 000006
【図５】
2020056651.tif 000007
【図６】
2020056651.tif 000008
【図７】
2020056651.tif 000009
【図８】
2020056651.tif 000010
【図９】
2020056651.tif 000011
【図１０】
2020056651.tif 000012
【図１１】
2020056651.tif 000013
【図１２】
2020056651.tif 000014
【図１３】
2020056651.tif 000015
【図１４】
2020056651.tif 000016